(57)【要約】   【課題】操作性が良く薄型で押鍵速度を精度良く検出することができる鍵盤装置を提供する。  【解決手段】補強部材２０は、樹脂により成形された底板部材１０に螺子で固着される鋼板製のプレス加工された部材である。底板部材１０は、樹脂で成形されるため、安価で軽量であり、生産性も良いが、歪みやすく特に温度変化などにより経年変化を起こしやすい。そのため、樹脂だけでは、押鍵速度を精度良く検出することは困難である。そこで、本発明では、鋼板製の補強部材２０の底面全面を底板部材１０の平面に密着させ、固着することにより底板部材１０の歪みや変形を防止している。この補強部材２０は、底板部材１０の底部の平面に明けられた螺子穴１０ｆにタッピング螺子が挿入され、補強部材２０に設けられた螺子穴２０ｃに底板部材１０底方向から螺子止めされる。  【選択図】    図３
2005208439.tif 000002
【特許請求の範囲】
【請求項１】
回動自在な複数の鍵を有する鍵ユニットと、
前記各鍵が操作された場合の鍵速度を検出するための検出部と、
前記鍵ユニットと検出部とを収納する樹脂成形された底板部材と、
前記底板部材を補強する剛性を有する補強部材とを備え、前記補強部材は、少なくとも鍵盤装置が有する全ての鍵の幅と黒鍵の長さの奥行きの底面を有し、その底面と前記底板部材の内側平面とが密着して固着されていることを特徴とする鍵盤装置。
【請求項２】
前記補強部材をほぼ垂直に折り曲げ、さらに先端部を補強部材の底面と平行に折り曲げ加工することにより鍵ガイドを形成していることを特徴とする請求項１記載の鍵盤装置。
【請求項３】
前記鍵は、鍵の長手方向に対して垂直な面の断面形状が長方形の鍵ガイド孔を有し、
前記鍵ガイドは、前記長方形の鍵ガイド孔の垂直な２辺により鍵の左右の位置を規制すると共に、鍵が離鍵されている場合の位置を前記長方形の鍵ガイド孔の底辺により規制し、鍵が押下された場合の位置を前記長方形の鍵ガイド孔の上部辺により規制するものであることを特徴とする請求項２に記載の鍵盤装置。
【請求項４】
前記鍵が押下された場合に鍵を停止させる鍵ストップを備え、その鍵ストップは、前記剛性を有する補強部材を打ち抜き前記底板部材上に形成したことを特徴とする請求項１から３のいずれかに記載の鍵盤装置。
【請求項５】
前記剛性を有する補強部材は、鋼板を打ち抜き、曲げ加工されたものであることを特徴とする請求項１から４のいずれかに記載の鍵盤装置。
【請求項６】
前記補強部材は、その外周を曲げ加工することによりリブを形成していることを特徴とする請求項１から５のいずれかに記載の鍵盤装置。
【発明の詳細な説明】
【技術分野】
【０００１】
本発明は、音楽を演奏するための鍵盤装置であって、特にコンピュータに演奏情報等を入力するのに適した鍵盤装置に関する。
【背景技術】
【０００２】
従来、鍵盤と音源とを備え、手軽に鍵盤を演奏して音楽を楽しむことができる電子楽器が提供されている。一方、パーソナルコンピュータを用いて新たな曲を作曲したり、すでにある曲を編曲したりすることが行われている。また、パーソナルコンピュータがいわゆるソフトシンセサイザーと呼ばれるプログラムを実行することにより楽音を生成する機能を持つようになり、パーソナルコンピュータの文字などを入力するためのキーボードのような感覚で演奏を行ったり演奏データを入力することができる鍵盤装置が望まれている。
【０００３】
このような鍵盤装置は、特にコンパクトで薄く、且つ、鍵のストロークが通常の鍵盤に比べて短いが正確に押鍵速度や離鍵速度を検出することが要求される。
【０００４】
例えば、特開平９−２７４４８２号公報（特許文献１）に開示されている鍵盤装置では、複数の白鍵および黒鍵を薄肉鋼板を絞り加工により形成し、互いに隣接する鍵の隙間を抜き加工することにより削除して少なくともオクターブの鍵を一体に形成した薄型の鍵盤装置が開示されている。
【０００５】
また、特開２００２−６２８７６号公報（特許文献２）には、鍵本体と鍵支持部と、その鍵本体を鍵支持部に揺動可能に接続する接続部とから成る鍵ユニットを樹脂で一体成形した鍵盤装置が開示されている。この鍵ユニットは、成形時に鍵本体の後端部あるいは接続部から樹脂が注入されるので、金型内での樹脂の流れが均等になり、鍵の強度を向上させることができるとしている。
【特許文献１】特開平９−２７４４８２号公報
【特許文献２】特開２００２−６２８７６号公報
【発明の開示】
【発明が解決しようとする課題】
【０００６】
しかしながら、特許文献１に開示された鍵盤装置は、複数の白鍵と黒鍵とが、薄肉鋼板を一体プレス加工により絞り加工され、その後互いに隣接する鍵の隙間を抜き加工することにより削除して形成されるので鍵の側壁が存在しない。したがって、特に白鍵を押下すると隣の鍵との隙間が大きく開くために、見栄えが悪いとともに、押下した鍵の隣の鍵の上面の角が指に引っかかるため、すばやい演奏を行うことができないという問題点があった。
【０００７】
また、特許文献２に開示された発明では、鍵の操作性を向上させることはできるが、鍵盤装置をコンパクトに且つ薄型に形成することができないという問題点があった。
【０００８】
本発明は、上記問題点を解決するためになされたものであり、操作性が良く、薄型で押鍵速度を精度良く検出することができる鍵盤装置を提供することを目的とする。
【課題を解決するための手段】
【０００９】
この目的を達成するために、請求項１記載の鍵盤装置は、回動自在な複数の鍵を有する鍵ユニットと、前記各鍵が操作された場合の鍵速度を検出するための検出部と、前記鍵ユニットと検出部とを収納する樹脂成形された底板部材と、前記底板部材を補強する剛性を有する補強部材とを備え、前記補強部材は、少なくとも鍵盤装置が有する全ての鍵の幅と黒鍵の長さの奥行きの底面を有し、その底面と前記底板部材の内側平面とが密着して固着されている。
【００１０】
請求項２記載の鍵盤装置は、請求項１記載の鍵盤装置において、前記補強部材をほぼ垂直に折り曲げ、さらに先端部を補強部材の底面と平行に折り曲げ加工することにより鍵ガイドを形成している。
【００１１】
請求項３記載の鍵盤装置は、請求項２記載の鍵盤装置において、前記鍵は、鍵の長手方向に垂直な面の断面形状が長方形の鍵ガイド孔を有し、前記鍵ガイドは、前記長方形の鍵ガイド孔の垂直な２辺により鍵の左右の位置を規制すると共に、鍵が離鍵されている場合の位置を前記長方形の鍵ガイド孔の底辺により規制し、鍵が押下された場合の位置を前記長方形の鍵ガイド孔の上部辺により規制するものである。
【００１２】
請求項４記載の鍵盤装置は、請求項１から３のいずれかに記載の鍵盤装置において、前記鍵が押下された場合に鍵を停止させる鍵ストップを備え、その鍵ストップは、前記剛性を有する補強部材を打ち抜き前記底板部材上に形成したものである。
【００１３】
請求項５記載の鍵盤装置は、請求項１から４のいずれかに記載の鍵盤装置において、前記剛性を有する補強部材は、鋼板をプレスにより打ち抜き、曲げ加工されたものである。
【００１４】
請求項６記載の鍵盤装置は、請求項１から５のいずれかに記載の鍵盤装置において、前記補強部材は、その外周を曲げ加工することによりリブを形成しているものである。
【発明の効果】
【００１５】
本発明による請求項１記載の鍵盤装置によれば、樹脂により成形された底板部材を補強する剛性を有する補強部材を備え、その補強部材は、少なくとも鍵盤装置の全ての鍵の幅と黒鍵の長さの奥行きの底面を有し、その底面と前記底板部材の内側平面が密着して固着されているので、樹脂に剛性を持たせることができるため、精度良く鍵速度を検出することができると共に、鍵盤装置を薄型に形成できるという効果がある。
【００１６】
請求項２記載の鍵盤装置によれば、請求項１記載の鍵盤装置の奏する効果に加え、補強部材をほぼ垂直に折り曲げ、さらに先端部を補強部材の底面と平行に折り曲げ加工することにより鍵ガイドを形成したので部品点数を削減するとともに、プレス加工により形成することができるため、安価に供給できるという効果がある。
【００１７】
請求項３記載の鍵盤装置によれば、、請求項２記載の鍵盤装置の奏する効果に加え、鍵の長手方向に垂直な面の断面形状が長方形の鍵ガイド孔を有し、鍵ガイドは、その長方形の孔の垂直な２辺により鍵の左右の位置を規制すると共に、鍵が離鍵されている場合の位置を前記長方形の鍵ガイド孔の底辺により規制し、鍵が押下された場合の位置を前記長方形の鍵ガイド孔の上部辺により規制するものであるので、鍵の左右方向、および上下方向の動きを規制することができるので、部品点数が少なくて構成が簡単であるとともに、鍵の構造を単純化できるため薄型にできるという効果がある。
【００１８】
請求項４記載の鍵盤装置によれば、請求項１から３のいずれかに記載の鍵盤装置の奏する効果に加え、鍵が押下された場合に鍵を停止させる鍵ストップは、補強部材を打ち抜き、底板部材上に形成したものであるので、鍵盤装置を薄型にできるという効果がある。
【００１９】
請求項５記載の鍵盤装置によれば、請求項１から４のいずれかに記載の鍵盤装置の奏する効果に加え、剛性を有する補強部材は、鋼板をプレスにより打ち抜き、曲げ加工されたものであるので、補強部材を安価に形成することができるという効果がある。
【００２０】
請求項６記載の鍵盤装置によれば、請求項１から５のいずれかに記載の鍵盤装置の奏する効果に加え、補強部材は、その外周を曲げ加工することによりリブを形成しているので、簡単な加工方法により補強部材の剛性を高くすることができるという効果がある。
【発明を実施するための最良の形態】
【００２１】
以下、本発明の好ましい実施例について、添付図面を参照して説明する。
【００２２】
図１は、本発明の実施の形態の一例による鍵盤装置１の適用例の外観斜視図である。この外観斜視図には、上部パネル２に複数のボリュームツマミ３と表示器４と複数のスイッチ５とベンダー６とが備えられていて、複数の白鍵３０ａおよび黒鍵３２ａにより構成される２オクターブ（正確には２オクターブ＋１）の鍵盤部と底板部材１０とが示されている。
【００２３】
また、この図には示されていないが、この鍵盤装置１の背面には、電源スイッチと各種ジャック類が備えられている。ジャック類としては、ＭＩＤＩ信号を入出力したりデジタルオーディオ信号の通信を行うことができ、パーソナルコンピュータの通信規格であるＵＳＢ（Universal Serial Bus）やオーディオ信号の入出力のジャックやヘッドホン用のジャックが備えれらている。
【００２４】
この鍵盤装置１は、主としてパーソナルコンピュータを用いて演奏データを作成したり、編集することを使用目的とするもので、机上で使用されるためにコンパクトで薄型であるが、正確に押鍵速度（ベロシティ）を検出することができる。特に、この鍵盤装置１では、薄型にするために、鍵のストロークを通常の鍵盤のストロークより短く設定している。
【００２５】
また、この鍵盤装置１は、図示しないＣＰＵやＲＯＭやＲＡＭなどにより構成されるマイクロコンピュータが備えられ、鍵や各種操作子が演奏者により操作されると、これらの操作状態が検出されて、ＵＳＢを介してノートオンオフやコントロールチェンジなどのＭＩＤＩメッセージが出力される。この鍵盤装置１とＵＳＢを介して接続されたパーソナルコンピュータは、このＭＩＤＩメッセージを受信し、そのＭＩＤＩメッセージに対応したデジタルオーディオ信号をＵＳＢを介して送信し、鍵盤装置１は、Ｄ／Ａ変換器を備えていて、このデジタルオーディオ信号をアナログオーディオ信号に変換し、演奏者はヘッドホン等を使用して聞くことができる。
【００２６】
各種ボリュームツマミ３は、そのオーディオ信号の音量を調節したり、その他のパラメータを任意に設定することができるものである。これらのパラメータを設定するボリュームツマミ３には、ＭＩＤＩメッセージを割り当てることができる。
【００２７】
表示器４は、設定されたＭＩＤＩチャネルや、パラメータの値を表示するもので、３桁の７セグメントと各種機能を表すドットなどがＬＣＤにより構成されている。
【００２８】
各種スイッチ５は、鍵盤などの操作子にＭＩＤＩチャネルを割り当てたり、上述のパラメータを設定するボリュームツマミ３にＭＩＤＩメッセージを割り当てる機能などが設定されている。
【００２９】
ベンダー６は、鍵の並び方向に揺動操作することができる操作子で、演奏者により操作されていない時は、中点に維持され、左方向または右方向へ操作されると楽音の高さを下へ又は上へ制御する制御信号であるＭＩＤＩメッセージのベンダー情報が出力される。
【００３０】
これらの各種ボリューム３、表示器４、スイッチ５およびベンダー６は、図示しないプリント基板にハンダ付けされ、そのプリント基板は、樹脂により成形されている上部パネル２に、螺子止めされている。
【００３１】
図２は、鍵の分解斜視図であって、２種類の白鍵ユニット３０、３０ｄと１種類の黒鍵ユニット３２により１オクターブの鍵が構成されている。白鍵ユニット３０は、音名がＤ、Ｆ、Ａの３つの白鍵３０ａと、白鍵３０ａの後端に揺動自在に接続するヒンジ部３０ｃと、そのヒンジ部３０ｃを介して鍵の並び方向に延びる鍵支持部３０ｆとが樹脂で一体成形されたものである。同様に、白鍵ユニット３０ｄは、音名がＣ、Ｅ、Ｇ、Ｂの４つの白鍵３０ａと、ヒンジ部３０ｉと鍵支持部３０ｊとが樹脂で一体成形され、黒鍵ユニット３２は、音名Ｃ＃、Ｄ＃，Ｆ＃、Ｇ＃、Ａ＃の５つの黒鍵３２ａとヒンジ部３２ｃと鍵支持部３２ｄとが一体成形されたものである。
【００３２】
これらの３つの鍵ユニットが下から黒鍵ユニット３２、白鍵ユニット３０ｄ、白鍵ユニット３０の順で鍵支持部が重ねられ、底板部材１０に形成された鍵基部１０ｂ（図３参照）に螺子で固着される。その際、鍵基部１０ｂに設けられたガイドピン１０ｃに黒鍵ユニットのガイド穴３２ｅと白鍵ユニット３ｄのガイド穴３０ｈと白鍵ユニット３０のガイド穴３０ｇが嵌め込まれ、黒鍵ユニットの螺子穴３２ｂと白鍵ユニット３０ｄの螺子穴３０ｅと白鍵ユニット３０の螺子穴３０ｂに螺子が挿入され、鍵基部１０ｂに設けられた螺子穴１０ｄに螺子止めされる。
【００３３】
図１に示す鍵盤装置１では、２オクターブと１つの白鍵から構成される２５鍵の鍵盤装置となっているが、この場合には、一組の低いオクターブの鍵域は、上記に説明した白鍵ユニット３０、３０ｄ、３２により構成し、もう一組の鍵域は、白鍵ユニット３０ａにさらに一つの白鍵（音名Ｃ）を追加した鍵ユニットと白鍵ユニット３０ｄと黒鍵ユニット３２とを用いて構成されている。
【００３４】
図３は、底板部材１０と補強部材２０とスイッチ基板部４０の分解斜視図である。スイッチ基板部４０は、各鍵が押下された場合にその速度に応じた時間差で導通する２つの可動接点を有する複数のゴムスイッチ４２と、それらのスイッチの導通状態を検出するための配線回路が形成されたプリント配線基板４０ａにより構成されている。
【００３５】
プリント配線基板４０ａには、補強部材２０に取り付けられる際に、各スイッチが各鍵に対応する正確な位置に配置されるよう、底板部材１０に設けられた位置決め用の突起１０ｉに嵌合するスリット４０ｂが設けられている。また、プリント配線基板４０ａには、各スイッチの接続状態を検出するための配線が接続されるコネクタ４４がハンダ付けされている。
【００３６】
補強部材２０は、樹脂により成形された底板部材１０に螺子で固着される鋼板製のプレス加工された部材である。底板部材１０は、樹脂で成形されるため、安価で軽量であり、生産性も良いが、歪みやすく特に温度変化などにより経年変化を起こしやすい。そのため、樹脂だけでは、押鍵速度を精度良く検出することは困難である。そこで、本発明による鍵盤装置では、鋼板製の補強部材２０の底面全面を底板部材１０の平面に密着させ、固着することにより、底板部材１０の歪みや変形を防止している。この補強部材２０の底面の幅は、少なくともこの鍵盤装置１が有する全ての鍵（この実施例では２５鍵）の幅を有し、奥行きは、少なくとも黒鍵の長さを有するものである。このことにより、鍵盤装置１の幅方向の平面性が確保できるとともに、奥行き方向については、鍵の支点から鍵の速度を検出するゴムスイッチ間の剛性を確保することができ、精度良く速度を検出することができる。なお、本実施例では、より底板部材１０の剛性を確保するために、補強部材２０の底面の幅を白鍵の長さに近いものとしている。
【００３７】
底板部材１０の底部の平面に明けられた螺子穴１０ｆにタッピング螺子が挿入され、補強部材２０に設けられた螺子穴２０ｃに底板部材１０底方向から螺子止めされる。
【００３８】
補強部材２０の全周囲は、底面に対して直角に鋼板が折り曲げられ、強度を得るとともに、５カ所に鋼板を打ち抜いて折り曲げることによりリブ２０ｂを形成し、さらに強度を得ている。
【００３９】
また、この補強部材２０の中央部には、補強部材２０を折り曲げて形成した鍵ガイド２０ｄが形成され、この鍵ガイド２０ｄを形成するための鋼板が打ち抜かれた長穴２０ｆが形成される（後述）。底板部材１０には、プリント配線基板４０ａを支持する基板受け１０ｇが形成され、この基盤受け１０ｇを逃げる逃げ穴２０ｇおよびプリント配線基板４０ａの位置決めをするための突起１０ｉを逃げる逃げ穴２０ｉが形成されている。なお、補強部材２０に使用される鋼板は、亜鉛メッキなどの防錆処理がなされているものが望ましい。
【００４０】
底板部材１０は、本鍵盤装置１の底板であって、上部パネル２を螺子で固着することにより、本鍵盤装置１の筐体を形成する。底板部材１０の外周部には複数の螺子穴を有するボス１０ａが形成され、上パネル２には、これらのボス１０ａ対応する位置にボスが形成され、螺子により固着される。また、底板部材１０の後方には、各種ジャック類が配置される貫通孔１０ｅが複数形成されている。また、後述するように、プリント配線基盤４０ａを支持する基板受け１０ｇと鍵の支点を支持する突起１０ｊとが鍵の並び方向に延設され、プリント配線基板４０ａを組み付ける場合に位置決めを行う位置決め用突起１０ｉおよび鍵ストッパ１２が貼り付けられる窪み１０ｈが形成されている。
【００４１】
図４は、本鍵盤装置の底板部材１０に補強部材２０と、プリント配線基板４０ａと鍵ユニット３０、３０ｄ、３２を組み付け、白鍵ユニット３０ｄの白鍵３０ａを鍵の長手方向に断面視した図である。上述の通り、底板部材１０に補強部材２０が組み付けられ、補強部材２０には、プリント配線基板４０ａが搭載され、プリント配線基板４０ａには、各スイッチの接続状態を検出するための回路が設けられ、回路を構成するダイオード４６がハンダ付けされている。
【００４２】
プリント配線基板４０ａは、補強部材２０の底に設けられた穴に挿入されて、かしめにより固着された真鍮により形成されるナット２０ａと底板部材１０に形成された突起である基板受け１０ｇとの上に配置され、螺子２０ｅにより螺子止めされる。基板受け１０ｇとプリント配線基板４０ａとは、両面テープにより接着され、鍵が押下された場合に、プリント配線基板４０ａに設けられたゴムスイッチ４２にかかる荷重を支えている。
【００４３】
補強部材２０には、基板受け１０ｇを逃げる逃げ穴２０ｇが形成されているとともに、逃げ穴２０ｇを切り抜いた鋼板により、リブ２０ｈを形成している。
【００４４】
ゴムスイッチ４２は、その上面が鍵に形成されたアクチュエータ部３０ｆに当接し、ゴムスイッチ４２のドーム形状部が有する弾性復元力によって鍵を上方へ回動付勢している。  また、ゴムスイッチ４２には、鍵速度を検出するための異なる押鍵位置で接続状態となる２つの接点が備えられ、鍵が押下されると、ゴムスイッチ４２のドーム形状部が膨らみ、導電ゴムにより形成される２つの可動接点が、順次プリント配線基板４０ａに設けられた固定接点に接触することにより固定接点を導通状態にする。押鍵される場合には、まず第１の接点が導通状態にされ、続いて第２の接点が導通状態に変化される。 この２つの接点が導通状態に変化する時間差を検出することにより、押鍵時のベロシティが検出される。
【００４５】
また、離鍵される場合には、まず、第２の接点が非導通状態にされ、続いて第１の接点が非導通状態に変化される。この場合も同様に、非導通状態に変化する時間差を検出することにより離鍵時のベロシティが検出される。
【００４６】
白鍵および黒鍵には、鍵の内部に鍵の長手方向に対して垂直な鍵ガイド壁３０ｐが設けられ、この鍵ガイド壁３０ｐに長方形の鍵ガイド孔３０ｍが形成されている。この鍵ガイド孔３０ｍと鍵ガイド２０ｄに装着された鍵ガイドブッシュ２２とにより、鍵の上下方向および水平方向の動きが規制される。鍵ガイドブッシュ２２は、補強部材２０の底板部２０ｆを切断してまず底板からほぼ垂直に立ち上げ、さらに立ち上げた先端を底板とほぼ平行になるように折り曲げ加工された鍵ガイド２０ｄに装着されたものである。
【００４７】
また、底板部材１０には、鍵が最下位置まで押下された場合に、鍵に与えられる衝撃を緩和するため、フェルト等の緩衝材からなる鍵ストッパ１２および１４が設けられている。
【００４８】
鍵ストッパ１２は、鍵ガイド壁３０ｐと連結された壁３０ｇに当接するもので、補強部材２０から鍵ガイド２０ｄを形成するために空けられた長穴２０ｆの内部に底板部材１０に一段低く形成した窪み１０ｈに接着剤により固着されている。
【００４９】
鍵ストッパ１４は、鍵の先端部３０ｎに当接するもので、補強部材１０の鍵の先端側の折り曲げ部に接着剤により固着されている。
【００５０】
底板部材１０には、鍵の並び方向に断面が略長方形の突起１０ｊが延設されている。この突起１０ｊは、鍵本体のヒンジ部３０ｉと接続する部分に形成された支点３０ｋの下方に位置し、突起１０ｊと支点３０ｋは、常時離れているが、鍵が強く押下された場合はこの支点３０ｋが突起１０ｊの上面に接触し、ヒンジ部３０ｉが突起１０ｊで支えられる位置より下方へ下がらないように規制されている。このことにより、ヒンジ部３０ｉに大きな力が作用して破損することを防止している。白鍵ユニット３０のヒンジ部３０ｃおよび黒鍵ユニット３２のヒンジ部３２ｃについても同様である。
【００５１】
図５は、鍵ガイド２０ｄの詳細を説明するための図である。図５（ａ）は、図３の補強部材２０の一点鎖線Ａで囲んだ部分の平面図である。図３では、左端の鍵ガイド２０ｄのみ鍵ガイドブッシュ２２が装着された状態で、残りの鍵ガイド２０ｄには、鍵ガイドブッシュ２２が装着されていない状態を示している。図５（ａ）は、鍵ガイドブッシュ２２が装着されていない鍵ガイド２０ｄを示している。図に示すように、鍵ガイド２０ｄは、鍵ガイドブッシュ２２を装着しやすいように、先端がテーパ状に形成され、鍵ガイドブッシュ２２が装着されると、鍵ガイドブッシュ２２が抜けないように、段差が設けられている。
【００５２】
図５（ｂ）は、鍵ガイドブッシュ２２の平面図（上）と正面図（下）であり、正面図に示すように、中央部に鍵ガイド２０ｄに挿入される挿入孔が形成され、上部と下部にはそれぞれ２列の山形の突起が形成されている。これらの突起は、鍵が下限または上限位置に回動した場合に衝撃を緩和するためのものである。
【００５３】
図５（ｃ）は、図４におけるＢ−Ｂ断面視を表す断面図であり、鍵ガイド２０ｄに鍵ガイドブッシュ２２が装着され、白鍵３０ａの鍵ガイド壁３０ｐに形成された長方形（正方形を含む）の鍵ガイド孔３０ｍを示している。この図では、鍵が上限位置に保持されている場合を示しており、長方形の鍵ガイド孔３０ｍの底辺が鍵ガイドブッシュ２２の下面に形成された突起に当接している。
【００５４】
白鍵３０ａが上下に揺動する場合には、鍵ガイドブッシュ２２の左右端が長方形の鍵ガイド孔３０ｍの垂直な辺に沿って動くため、鍵の左右の位置が規制される。
【００５５】
白鍵３０ａが押下された場合は、鍵ガイド孔３０ｍの上辺が鍵ガイドブッシュ２２の上面に形成された突起に当接するとともに、白鍵３０ａの側壁および垂直壁３０ｇ（図４参照）が底板部材１０の上に貼られたクッション１２に当接し、鍵３０ａの下限位置が規制されると同時に下方への衝撃が緩和される。したがって、操作性が良く、演奏者の指には適度な反力が作用する。
【００５６】
以上、上記実施例に基づき本発明を説明したが、本発明は、上記実施例に何ら限定されるものでなく、本発明の趣旨を逸脱しない範囲内で種々の改良変形が可能であることは容易に推察できるものである。
【００５７】
例えば、上記実施例では、補強部材２０の材質を鋼板としたが、薄く剛性が高く加工性が良いものであればよい。例えば、アルミニウムやジュラルミンは、その一例であり軽量でもあるが、高価でもある。
【００５８】
また、上記実施例では、鍵盤装置１には、ＣＰＵ等の制御回路を搭載しているものとしたが、鍵速度を検出するための検出手段（ゴムスイッチ４２）を備え、その検出手段の出力が鍵盤装置１から出力されるようにしてもよい。
【００５９】
また、上記実施例では、鍵基部１０ｂを底板部材１０により形成したが、補強部材２０により形成しても良い。
【図面の簡単な説明】
【００６０】
【図１】本発明の鍵盤装置の外観斜視図である。
【図２】鍵の分解斜視図である。
【図３】基板と補強部材と底板部材の分解斜視図である。
【図４】白鍵を組み立て断面図である。
【図５】鍵ガイドの詳細図である。
【符号の説明】
【００６１】
１                  鍵盤装置
２                  上部パネル
１０                底板部材
１２                鍵ストッパ
１４                鍵ストッパ
２０                補強部材
２０ｄ              鍵ガイド
２２                鍵ガイドブッシュ
３０                白鍵ユニット
３２                黒鍵ユニット
４０                スイッチ基板部
４０ａ              プリント配線基板
４２                ゴムスイッチ
【図１】
2005208439.tif 000003
【図２】
2005208439.tif 000004
【図３】
2005208439.tif 000005
【図４】
2005208439.tif 000006
【図５】
2005208439.tif 000007